(57)【要約】【課題】原稿の主走査方向中央部だけでなく、原稿の主走査方向両端部のうち少なくとも一方の温度が高くなることを抑制できる画像読取装置及び画像形成装置を提供する。【解決手段】原稿固定読取構成と原稿移動読取構成とのうち少なくとも一方の構成を備え、光源部２１１’，２１１”が主走査方向Ｙ両側にそれぞれ設けられている画像読取装置１００及びそれを備えた画像形成装置Ｄは、ガラス２０１の主走査方向Ｙ一端部２０１ａ’，２０１ｂ’を支持する一方の金属性フレーム２０２’と、ガラス２０１の主走査方向Ｙ他端部２０１ａ”，２０１ｂ”を支持する他方の金属性フレーム２０２”とを備え、両光源部２１１’，２１１”のうち少なくとも一方の光源部は、ガラス２０１の該光源部側を支持する金属性フレームより下方にあって、かつ、該金属性フレームの主走査方向Ｙ内側の位置より主走査方向Ｙ外側に位置している。【選択図】図１０
2010124118.tif 000002
【特許請求の範囲】
【請求項１】
原稿台ガラス上に載置される原稿を該原稿台ガラスを介して照明する光源部を副走査方向に移動させると共に該光源部により照明された原稿からの反射光を主走査方向に走査して原稿画像を読み取る原稿固定読取構成と、自動原稿送り装置で原稿読取ガラス上を通過するように副走査方向に搬送される原稿を定位置に位置する光源部にて該原稿読取ガラスを介して照明すると共に該光源部により照明された原稿からの反射光を主走査方向に走査して原稿画像を読み取る原稿移動読取構成とのうち少なくとも一方の構成を備え、前記光源部が主走査方向両側にそれぞれ設けられている画像読取装置において、
前記ガラスの主走査方向一端部を支持する一方の金属性のフレームと、前記ガラスの主走査方向他端部を支持する他方の金属性のフレームとを備え、
前記主走査方向両側にそれぞれ設けられた両光源部のうち少なくとも一方の光源部は、前記ガラスの該光源部側を支持する金属性フレームより下方にあって、かつ、該金属性フレームの主走査方向内側端の位置より主走査方向外側に位置することを特徴とする画像読取装置。
【請求項２】
請求項１記載の画像読取装置において、
主走査方向の一方側がユーザー操作側となるように構成されており、
前記両光源部のうち少なくとも前記ユーザー操作側の光源部が、前記ガラスの該光源部側を支持する金属性フレームより下方にあって、かつ、該金属性フレームの主走査方向内側端の位置より主走査方向外側に位置することを特徴とする画像読取装置。
【請求項３】
請求項１又は２に記載の画像読取装置において、
前記ガラスの主走査方向一端部と前記一方の金属性フレームとの間、及び前記ガラスの主走査方向他端部と前記他方の金属性フレームとの間にそれぞれ空間を設けるための間隙部材又は間隙部を介在させたことを特徴とする画像読取装置。
【請求項４】
請求項１から３の何れか一つに記載の画像読取装置において、
前記両光源部のうち少なくとも一方の光源部は、原稿画像が読み取られる最大サイズの原稿の主走査方向外側に配置されていることを特徴とする画像読取装置。
【請求項５】
原稿台ガラス上に載置される原稿を該原稿台ガラスを介して照明する光源部を副走査方向に移動させると共に該光源部により照明された原稿からの反射光を主走査方向に走査して原稿画像を読み取る原稿固定読取構成と、自動原稿送り装置で原稿読取ガラス上を通過するように副走査方向に搬送される原稿を定位置に位置する光源部にて該原稿読取ガラスを介して照明すると共に該光源部により照明された原稿からの反射光を主走査方向に走査して原稿画像を読み取る原稿移動読取構成とのうち少なくとも一方の構成を備え、前記光源部が主走査方向両側にそれぞれ設けられている画像読取装置において、
前記主走査方向両側にそれぞれ設けられた両光源部のうち少なくとも一方の光源部は、原稿画像が読み取られる最大サイズの原稿の主走査方向外側に配置されていることを特徴とする画像読取装置。
【請求項６】
請求項１から５の何れか一つに記載の画像読取装置において、
前記両光源部のうち少なくとも一方の光源部は、前記ガラスの主走査方向外側に配置されていることを特徴とする画像読取装置。
【請求項７】
原稿台ガラス上に載置される原稿を該原稿台ガラスを介して照明する光源部を副走査方向に移動させると共に該光源部により照明された原稿からの反射光を主走査方向に走査して原稿画像を読み取る原稿固定読取構成と、自動原稿送り装置で原稿読取ガラス上を通過するように副走査方向に搬送される原稿を定位置に位置する光源部にて該原稿読取ガラスを介して照明すると共に該光源部により照明された原稿からの反射光を主走査方向に走査して原稿画像を読み取る原稿移動読取構成とのうち少なくとも一方の構成を備え、前記光源部が主走査方向両側のうち何れか一方側に設けられている画像読取装置であって、
前記ガラスの主走査方向一端部を支持する一方の金属性のフレームと、前記ガラスの主走査方向他端部を支持する他方の金属性のフレームとを備え、
前記光源部は、前記ガラスの該光源部側を支持する金属性フレームより下方にあって、かつ、該金属性フレームの主走査方向内側端の位置より主走査方向外側に位置することを特徴とする画像読取装置。
【請求項８】
請求項７に記載の画像読取装置において、
前記ガラスの主走査方向一端部と前記一方の金属性フレームとの間、及び前記ガラスの主走査方向他端部と前記他方の金属性フレームとの間にそれぞれ空間を設けるための間隙部材又は間隙部を介在させたことを特徴とする画像読取装置。
【請求項９】
請求項７又は８に記載の画像読取装置において、
前記光源部は、原稿画像が読み取られる最大サイズの原稿の主走査方向外側に配置されていることを特徴とする画像読取装置。
【請求項１０】
原稿台ガラス上に載置される原稿を該原稿台ガラスを介して照明する光源部を副走査方向に移動させると共に該光源部により照明された原稿からの反射光を主走査方向に走査して原稿画像を読み取る原稿固定読取構成と、自動原稿送り装置で原稿読取ガラス上を通過するように副走査方向に搬送される原稿を定位置に位置する光源部にて該原稿読取ガラスを介して照明すると共に該光源部により照明された原稿からの反射光を主走査方向に走査して原稿画像を読み取る原稿移動読取構成とのうち少なくとも一方の構成を備え、前記光源部が主走査方向両側のうち何れか一方側に設けられている画像読取装置であって、
前記光源部は、原稿画像が読み取られる最大サイズの原稿の主走査方向外側に配置されていることを特徴とする画像読取装置。
【請求項１１】
請求項７から１０の何れか一つに記載の画像読取装置において、
前記光源部は、前記ガラスの主走査方向外側に配置されていることを特徴とする画像読取装置。
【請求項１２】
請求項１から１１の何れか一つに記載の画像読取装置を備えたことを特徴とする画像形成装置。
【発明の詳細な説明】
【技術分野】
【０００１】
本発明は、画像読取装置及び画像形成装置に関する。
【背景技術】
【０００２】
複写機、ファクシミリ装置及びデジタル複合機等の画像形成装置に備えられる画像読取装置や、ネットワーク等の通信手段を介してコンピュータに接続される画像読取装置は、一般的に、原稿固定読取構成や原稿移動読取構成を備えている。
【０００３】
詳しくは、原稿固定読取構成は、原稿台ガラス上に載置される原稿を該原稿台ガラスを介して照明する光源部を副走査方向に移動させると共に該光源部によって照明された原稿からの反射光を主走査方向に走査して原稿画像を読み取る構成である。また、原稿移動読取構成は、自動原稿送り装置で原稿読取ガラス上を通過するように副走査方向に搬送される原稿を定位置に位置する光源部にて該原稿読取ガラスを介して照明すると共に該光源部により照明された原稿からの反射光を主走査方向に走査して原稿画像を読み取る構成である。
【０００４】
例えば、従来の画像読取装置として、原稿台ガラス上に載置された原稿を照明する光源部と第一ミラーとを配置した光源ユニット、第二及び第三ミラー、結像レンズ、撮像素子（例えば、ＣＣＤ（Charge Coupled Device）等のラインセンサ）を備え、光源部により照明された原稿反射光を、枠体等の基体に設けられたスリットを通じて、第一ミラー、第二ミラー、第三ミラーから結像レンズを介して撮像素子に結像させて原稿画像を読み取る構成のものが多い。
【０００５】
そして、原稿を固定して原稿画像を読み取る場合には、原稿を原稿台ガラス上に載置して光源ユニットを副走査方向に移動させつつ該原稿からの反射光を主走査方向に走査して原稿画像を読み取る。また、原稿を移動させて原稿画像を読み取る場合には、光源ユニットを定位置に位置させて原稿を自動原稿送り装置で副走査方向に搬送させつつ該原稿からの反射光を主走査方向に走査して原稿画像を読み取る。
【０００６】
このような画像読取装置は、例えば、ＣＣＤなどの撮像素子上に結像された画像情報を電気信号に変換して画像処理し、画像情報の印刷を行う画像形成装置へ転送する場合や、ネットワークに接続されたパーソナルコンピュータへ送信する場合などの画像読取手段として使用される。
【０００７】
従来、光源部として、主走査方向に沿って配置されたハロゲンランプ、キセノンランプなどの棒状の光源や、発光ダイオード（ＬＥＤ）などの発光素子を主走査方向に複数配列した光源を採用した画像読取装置においては、該光源が原稿を原稿載置領域又は自動原稿送り装置による原稿通紙領域（以下、単に原稿領域という）の主走査方向全域にわたって照明する。例えば、下記特許文献１には、原稿載置領域の主走査方向全域にわたって配列された複数のＬＥＤがガラスに載置された原稿を該ガラスを介して照明する画像読取装置が開示されている。
【０００８】
しかしながら、前記したような従来の画像読取装置においては、以下のような課題がある。
【０００９】
すなわち、光源部が原稿を原稿領域の主走査方向全域にわたってガラスを介して照明するため、該ガラス全体の温度が高くなり、ひいては、それに接触又は近接する原稿の温度が高くなり、ユーザーに不快感を与えていた。
【００１０】
特に、自動原稿送り装置により原稿を移動させて原稿画像を読み取る場合には、光源部（光源ユニット）が停止状態で、原稿をガラスを介して照明するため、ガラスの温度が高くなりやすい。そうすると、ガラス上を搬送された原稿が、温度上昇したガラスに接触又は近接し、そのガラスの熱を吸収するため、自動原稿送り装置から排出された原稿の温度が高くなりやすい。
【００１１】
これに対し、特許文献２には、導光部材の主走査方向両端にそれぞれＬＥＤ光源を設けた画像読取装置が開示されている。
【特許文献１】特開２００７−１７１６１５号公報
【特許文献２】特開平９−２１４６７５号公報
【発明の開示】
【発明が解決しようとする課題】
【００１２】
ところが、特許文献２に開示されているような画像読取装置においては、光源部を主走査方向両側にそれぞれ設けることで、ガラスの主走査方向中央部の温度、ひいては原稿の主走査方向中央部の温度が高くなることを抑制できるものの、主走査方向両側に設けられた光源で発生する熱により、ガラスの主走査方向両端領域、ひいては原稿の主走査方向両端領域では、依然として温度が高くなりやすい。
【００１３】
そこで、本発明は、原稿をガラスを介して照明する光源部を主走査方向両側にそれぞれ設けた画像読取装置及びそれを備えた画像形成装置であって、原稿の主走査方向中央部だけでなく、原稿の主走査方向両端領域のうち少なくとも一方の温度が高くなることを抑制できる画像読取装置及び画像形成装置を提供することを一の目的とする。
【００１４】
また、本発明は、原稿をガラスを介して照明する光源部を主走査方向両側のうち何れか一方側に設けた画像読取装置及びそれを備えた画像形成装置であって、原稿の主走査方向中央部だけでなく、原稿の主走査方向両端領域の何れか一方の温度が高くなることを抑制できる画像読取装置及び画像形成装置を提供することを他の目的とする。
【課題を解決するための手段】
【００１５】
本発明は、前記課題を解決するために、次の第１態様から第４態様の画像読取装置及び画像形成装置を提供する。
【００１６】
（１）第１態様の画像読取装置
原稿台ガラス上に載置される原稿を該原稿台ガラスを介して照明する光源部を副走査方向に移動させると共に該光源部により照明された原稿からの反射光を主走査方向に走査して原稿画像を読み取る原稿固定読取構成と、自動原稿送り装置で原稿読取ガラス上を通過するように副走査方向に搬送される原稿を定位置に位置する光源部にて該原稿読取ガラスを介して照明すると共に該光源部により照明された原稿からの反射光を主走査方向に走査して原稿画像を読み取る原稿移動読取構成とのうち少なくとも一方の構成を備え、前記光源部が主走査方向両側にそれぞれ設けられている画像読取装置において、前記ガラスの主走査方向一端部を支持する一方の金属性のフレームと、前記ガラスの主走査方向他端部を支持する他方の金属性のフレームとを備え、前記主走査方向両側にそれぞれ設けられた両光源部のうち少なくとも一方の光源部は、前記ガラスの該光源部側を支持する金属性フレームより下方にあって、かつ、該金属性フレームの主走査方向内側端の位置より主走査方向外側に位置することを特徴とする画像読取装置。
【００１７】
（２）第２態様の画像読取装置
原稿台ガラス上に載置される原稿を該原稿台ガラスを介して照明する光源部を副走査方向に移動させると共に該光源部により照明された原稿からの反射光を主走査方向に走査して原稿画像を読み取る原稿固定読取構成と、自動原稿送り装置で原稿読取ガラス上を通過するように副走査方向に搬送される原稿を定位置に位置する光源部にて該原稿読取ガラスを介して照明すると共に該光源部により照明された原稿からの反射光を主走査方向に走査して原稿画像を読み取る原稿移動読取構成とのうち少なくとも一方の構成を備え、前記光源部が主走査方向両側のうち何れか一方側に設けられている画像読取装置であって、前記ガラスの主走査方向一端部を支持する一方の金属性のフレームと、前記ガラスの主走査方向他端部を支持する他方の金属性のフレームとを備え、前記光源部は、前記ガラスの該光源部側を支持する金属性フレームより下方にあって、かつ、該金属性フレームの主走査方向内側端の位置より主走査方向外側に位置することを特徴とする画像読取装置。
【００１８】
本発明にいう「前記ガラス」とは、前記画像読取装置が前記原稿固定読取構成を備えている場合には「原稿台ガラス」を指し、前記画像読取装置が前記原稿移動読取構成を備えている場合には「原稿読取ガラス」を指す。従って、前記画像読取装置が前記原稿固定読取構成及び前記原稿移動読取構成の双方を備えている場合には「原稿台ガラス」及び「原稿読取ガラス」の双方を指す。
【００１９】
また、本発明にいう「金属性のフレーム」とは、金属材料で構成されたものだけでなく、金属に似た性質の材料で構成されたものも含む概念である。
【００２０】
（３）第３態様の画像読取装置
原稿台ガラス上に載置される原稿を該原稿台ガラスを介して照明する光源部を副走査方向に移動させると共に該光源部により照明された原稿からの反射光を主走査方向に走査して原稿画像を読み取る原稿固定読取構成と、自動原稿送り装置で原稿読取ガラス上を通過するように副走査方向に搬送される原稿を定位置に位置する光源部にて該原稿読取ガラスを介して照明すると共に該光源部により照明された原稿からの反射光を主走査方向に走査して原稿画像を読み取る原稿移動読取構成とのうち少なくとも一方の構成を備え、前記光源部が主走査方向両側にそれぞれ設けられている画像読取装置において、前記主走査方向両側にそれぞれ設けられた両光源部のうち少なくとも一方の光源部は、原稿画像が読み取られる最大サイズの原稿の主走査方向外側に配置されていることを特徴とする画像読取装置。
【００２１】
（４）第４態様の画像読取装置
原稿台ガラス上に載置される原稿を該原稿台ガラスを介して照明する光源部を副走査方向に移動させると共に該光源部により照明された原稿からの反射光を主走査方向に走査して原稿画像を読み取る原稿固定読取構成と、自動原稿送り装置で原稿読取ガラス上を通過するように副走査方向に搬送される原稿を定位置に位置する光源部にて該原稿読取ガラスを介して照明すると共に該光源部により照明された原稿からの反射光を主走査方向に走査して原稿画像を読み取る原稿移動読取構成とのうち少なくとも一方の構成を備え、前記光源部が主走査方向両側のうち何れか一方側に設けられている画像読取装置であって、前記光源部は、原稿画像が読み取られる最大サイズの原稿の主走査方向外側に配置されていることを特徴とする画像読取装置。
【００２２】
（５）画像形成装置
前記本発明に係る第１態様から第４態様のうち何れか一つの態様の画像読取装置を備えたことを特徴とする画像形成装置。
【００２３】
本発明に係る第１態様の画像読取装置及びそれを備えた画像形成装置（以下、単に第１態様という）によれば、前記両光源部のうち少なくとも一方の光源部は、前記ガラスの該光源部側を支持する金属性フレームより下方にあって、かつ、該金属性フレームの主走査方向内側端の位置より主走査方向外側に位置するので、該光源部で発生する熱は、主として前記ガラスの該光源部側における金属性フレームを間にして加熱することになり、従って、該金属性フレームにより該光源部で発生する熱を放熱でき、これにより、前記ガラスの該光源部側において温度が高くなることを抑制でき、ひいては原稿の該光源部側端領域の温度が高くなることを抑制できる。
【００２４】
本発明に係る第２態様の画像読取装置及びそれを備えた画像形成装置（以下、単に第２態様という）によれば、前記光源部は、前記ガラスの該光源部側を支持する金属性フレームより下方にあって、かつ、該金属性フレームの主走査方向内側端の位置より主走査方向外側に位置するので、該光源部で発生する熱は、主として前記ガラスの該光源部側における金属性フレームを間にして加熱することになり、従って、該金属性フレームにより該光源部で発生する熱を放熱でき、これにより、前記ガラスの該光源部側において温度が高くなることを抑制でき、ひいては原稿の該光源部側端領域の温度が高くなることを抑制できる。
【００２５】
本発明に係る第３態様の画像読取装置及びそれを備えた画像形成装置（以下、単に第３態様という）によれば、前記両光源部のうち少なくとも一方の光源部は、原稿画像が読み取られる最大サイズの原稿の主走査方向外側に配置されているので、該光源部で発生する熱は、主として前記ガラスの最大サイズの原稿の主走査方向外側を加熱することになり、これにより、前記ガラスの最大原稿領域の主走査方向外側において温度が高くなることを抑制でき、ひいては原稿の該光源部側端領域の温度が高くなることを抑制できる。
【００２６】
本発明に係る第４態様の画像読取装置及びそれを備えた画像形成装置（以下、単に第４態様という）によれば、前記光源部は、原稿画像が読み取られる最大サイズの原稿の主走査方向外側に配置されているので、該光源部で発生する熱は、主として前記ガラスの最大サイズの原稿の主走査方向外側を加熱することになり、これにより、前記ガラスの最大原稿領域の主走査方向外側において温度が高くなることを抑制でき、ひいては原稿の該光源部側端領域の温度が高くなることを抑制できる。
【００２７】
前記第１態様から第４態様では、特に、前記原稿移動読取構成を備えている場合に有効である。すなわち、前記原稿移動読取構成を備えている場合には前記自動原稿送り装置により原稿を移動させて原稿画像を読み取る際に前記光源部が停止状態で原稿を前記原稿読取ガラスを介して照明することで高くなりやすい該原稿読取ガラスの温度を効果的に抑制することができる。
【００２８】
前記第１態様において、主走査方向の一方側がユーザー操作側となるように構成されており、前記両光源部のうち少なくとも前記ユーザー操作側の光源部が、前記ガラスの該光源部側を支持する金属性フレームより下方にあって、かつ、該金属性フレームの主走査方向内側端の位置より主走査方向外側に位置することが好ましい。
【００２９】
この特定事項では、前記ガラスの前記ユーザー操作側において温度が高くなることを抑制でき、ひいてはユーザーが触れる頻度の高い原稿の前記ユーザー操作側の温度が高くなることを抑制できる。
【００３０】
前記第１及び第２態様において、前記ガラスの主走査方向一端部と前記一方の金属性フレームとの間、及び前記ガラスの主走査方向他端部と前記他方の金属性フレームとの間にそれぞれ空間を設けるための間隙部材又は間隙部を介在させてもよい。
【００３１】
この特定事項では、前記間隙部材又は前記間隙部によって、前記金属性フレームと前記ガラスとの間に空間が設けられるので、該空間によって、該金属性フレームからの熱を該ガラスへ伝達することを妨げることができる。前記間隙部材及び前記間隙部は、前記空間を設けることができるものであれば何れのものでもよい。前記間隙部材としては、代表的にはゴム材料からなる部材を例示できる。例えば、前記間隙部材を断熱性に優れた材料とすることで、前記熱伝達をさらに妨げることができる。また、前記間隙部は、前記ガラス及び前記金属性フレームの何れか一方に一体的に形成されたものとすることができる。
【００３２】
前記第１態様において、前記両光源部のうち少なくとも一方の光源部は、原稿画像が読み取られる最大サイズの原稿の主走査方向外側に配置されていてもよい。また、前記第２態様において、前記光源部は、原稿画像が読み取られる最大サイズの原稿の主走査方向外側に配置されていてもよい。
【００３３】
この特定事項では、該光源部で発生する熱は、主として前記ガラスの最大サイズの原稿の主走査方向外側を加熱することになり、これにより、前記ガラスの最大原稿領域の主走査方向外側において温度が高くなることを抑制でき、ひいては原稿の該光源部側端領域の温度が高くなることをさらに抑制できる。
【００３４】
前記第１態様及び前記第３態様において、前記両光源部のうち少なくとも一方の光源部は、前記ガラスの主走査方向外側に配置されていてもよい。また、前記第２態様及び前記第４態様において、前記光源部は、前記ガラスの主走査方向外側に配置されていてもよい。
【００３５】
この特定事項では、該光源部で発生する熱は、主として前記ガラスの主走査方向外側を加熱することになり、これにより、該光源部で発生する熱による前記ガラスの温度上昇の影響を可及的になくすことができ、ひいては原稿の該光源部側端領域の温度が高くなることを効果的に防止できる。
【発明の効果】
【００３６】
以上説明したように、原稿をガラスを介して照明する光源部を主走査方向両側にそれぞれ設けた第１及び第３態様の画像読取装置及びそれを備えた画像形成装置によると、前記主走査方向両側にそれぞれ設けられた両光源部のうち少なくとも一方の光源部は、前記第１態様では、前記ガラスの光源部側を支持する金属性フレームより下方にあって、かつ、該金属性のフレームの主走査方向内側端の位置より主走査方向外側に位置することにより、前記第３態様では、原稿画像が読み取られる最大サイズの原稿の主走査方向外側に配置されていることにより、原稿の主走査方向中央部だけでなく、原稿の主走査方向両端領域のうち少なくとも一方の温度が高くなることを抑制することができる。
【００３７】
また、原稿をガラスを介して照明する光源部を主走査方向両側のうち何れか一方側に設けた第２及び第４態様の画像読取装置及びそれを備えた画像形成装置によると、前記主走査方向両側のうち何れか一方側に設けられた光源部は、前記第２態様では、前記ガラスの光源部側を支持する金属性フレームより下方にあって、かつ、該金属性のフレームの主走査方向内側端の位置より主走査方向外側に位置することにより、前記第４態様では、原稿画像が読み取られる最大サイズの原稿の主走査方向外側に配置されていることにより、原稿の主走査方向中央部だけでなく、原稿の主走査方向両端領域の何れか一方の温度が高くなることを抑制することができる。
【発明を実施するための最良の形態】
【００３８】
以下、本発明に係る一実施形態について図面を参照しながら説明する。なお、以下の実施の形態は、本発明を具体化した一例であって、本発明の技術的範囲を限定する性格のものではない。
【００３９】
図１は、本発明に係る画像読取装置の一実施形態を備えた画像形成装置Ｄを概略的に示す側面図である。
【００４０】
図１に示す画像形成装置Ｄは、被写体である原稿Ｇ（後述する図２参照）の画像を読み取る画像読取装置１００と、この画像読取装置１００により読み取られた原稿Ｇの画像又は外部から受信した画像をカラーもしくは単色で普通紙等の記録シートに記録形成する装置本体Ｄ’とを備えている。
【００４１】
［画像形成装置の全体構成について］
画像形成装置Ｄの装置本体Ｄ’は、露光装置１、現像装置２（２ａ，２ｂ，２ｃ，２ｄ）、像担持体として作用する感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、転写部として作用する中間転写ローラ６（６ａ，６ｂ，６ｃ，６ｄ）を含む中間転写ベルト装置８、定着装置１２、シート搬送装置５０、給紙部として作用する給紙トレイ１０、及び排紙部として作用する排紙トレイ１５を備えている。
【００４２】
画像形成装置Ｄの装置本体Ｄ’において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。従って、現像装置２（２ａ，２ｂ，２ｃ，２ｄ）、感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、中間転写ローラ６（６ａ，６ｂ，６ｃ，６ｄ）は各色に応じた４種類の画像を形成するようにそれぞれ４個ずつ設けられ、それぞれの末尾符号ａ〜ｄのうち、ａがブラックに、ｂがシアンに、ｃがマゼンタに、ｄがイエローに対応付けられて、４つの画像ステーションが構成されている。以下、末尾符号ａ〜ｄは省略して説明する。
【００４３】
感光体ドラム３は、装置本体Ｄ’の上下方向のほぼ中央に配置されている。
【００４４】
帯電器５は、感光体ドラム３の表面を所定の電位に均一に帯電させるための帯電手段であり、接触型であるローラ型やブラシ型の帯電器のほか、チャージャー型の帯電器が用いられる。
【００４５】
露光装置１は、ここでは、レーザダイオード及び反射ミラーを備えたレーザスキャニングユニット（ＬＳＵ）であり、帯電された感光体ドラム３表面を画像データに応じて露光して、その表面に画像データに応じた静電潜像を形成する。
【００４６】
現像装置２は、感光体ドラム３上に形成された静電潜像を（Ｋ，Ｃ，Ｍ，Ｙ）のトナーにより現像する。クリーナ装置４は、現像及び画像転写後に感光体ドラム３表面に残留したトナーを除去及び回収する。
【００４７】
感光体ドラム３の上方に配置されている中間転写ベルト装置８は、中間転写ローラ６に加えて、中間転写ベルト７、中間転写ベルト駆動ローラ２１、従動ローラ２２、テンションローラ２３、及び中間転写ベルトクリーニング装置９を備えている。
【００４８】
中間転写ベルト駆動ローラ２１、中間転写ローラ６、従動ローラ２２、テンションローラ２３等のローラ部材は、中間転写ベルト７を張架して支持し、中間転写ベルト７を所定のシート搬送方向（図中矢印方向）に周回移動させる。
【００４９】
中間転写ローラ６は、中間転写ベルト７内側に回転可能に支持され、中間転写ベルト７を介して感光体ドラム３に圧接されている。
【００５０】
中間転写ベルト７は、各感光体ドラム３に接触するように設けられており、各感光体ドラム３表面のトナー像を中間転写ベルト７に順次重ねて転写することによって、カラーのトナー像（各色のトナー像）を形成する。この転写ベルト７は、ここでは、厚さ１００μｍ〜１５０μｍ程度のフィルムを用いて無端ベルト状に形成されている。
【００５１】
感光体ドラム３から中間転写ベルト７へのトナー像の転写は、中間転写ベルト７内側（裏面）に圧接されている中間転写ローラ６によって行われる。中間転写ローラ６には、トナー像を転写するために高電圧の転写バイアス（例えば、トナーの帯電極性（−）とは逆極性（＋）の高電圧）が印加される。中間転写ローラ６は、ここでは、直径８〜１０ｍｍの金属（例えばステンレス）軸をベースとし、その表面は、導電性の弾性材（例えばＥＰＤＭ、発泡ウレタン等）により覆われたローラである。この導電性の弾性材により、記録シートに対して均一に高電圧を印加することができる。
【００５２】
画像形成装置Ｄの装置本体Ｄ’は、転写部として作用する転写ローラ１１ａを含む２次転写装置１１をさらに備えている。転写ローラ１１ａは、中間転写ベルト７の外側に接触している。
【００５３】
上述の様に各感光体ドラム３表面のトナー像は、中間転写ベルト７で積層され、画像データによって示されるカラーのトナー像となる。このように積層された各色のトナー像は、中間転写ベルト７と共に搬送され、２次転写装置１１によって記録シート上に転写される。
【００５４】
中間転写ベルト７と２次転写装置１１の転写ローラ１１ａとは、相互に圧接されてニップ域を形成する。また、２次転写装置１１の転写ローラ１１ａには、中間転写ベルト７上の各色のトナー像を記録シートに転写させるための電圧（例えば、トナーの帯電極性（−）とは逆極性（＋）の高電圧）が印加される。さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラや発泡性樹脂ローラ等）としている。
【００５５】
また、２次転写装置１１によって中間転写ベルト７上のトナー像が記録シート上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収する。中間転写ベルトクリーニング装置９には、例えばクリーニング部材として中間転写ベルト７に接触するクリーニングブレードが備えられており、このクリーニングブレードで残留トナーを除去及び回収することができる。従動ローラ２２は、中間転写ベルト７を内側（裏側）から支持しており、クリーニングブレードは、外部から従動ローラ２２に向けて押圧するように中間転写ベルト７に接触している。
【００５６】
給紙トレイ１０は、記録シートを格納しておくためのトレイであり、装置本体Ｄ’の画像形成部の下側に設けられている。また、画像形成部の上側に設けられている排紙トレイ１５は、印刷済みの記録シートをフェイスダウンで載置するためのトレイである。
【００５７】
また、装置本体Ｄ’には、給紙トレイ１０の記録シートを２次転写装置１１や定着装置１２を経由させて排紙トレイ１５に送るためのシート搬送装置１００が設けられている。このシート搬送装置１００は、Ｓの字形状のシート搬送路Ｓを有し、シート搬送路Ｓに沿って、ピックアップローラ１６、サバキローラ１４ａ、分離ローラ１４ｂ、各搬送ローラ１３、レジスト前ローラ対１９、レジストローラ対１０６、定着装置１２、及び排紙ローラ１７等の搬送部材が配置されている。
【００５８】
ピックアップローラ１６は、給紙トレイ１０のシート搬送方向下流側端部に設けられ、給紙トレイ１０から記録シートを１枚ずつシート搬送路Ｓに供給する呼び込みローラである。サバキローラ１４ａは、分離ローラ１４ｂとの間に記録シートを通過させて１枚ずつ分離しつつシート搬送路Ｓへと搬送する。各搬送ローラ１３及びレジスト前ローラ対１９は、記録シートの搬送を促進補助するための小型のローラである。各搬送ローラ１３は、シート搬送路Ｓに沿って複数箇所に設けられている。レジスト前ローラ対１９は、レジストローラ対１０６のシート搬送方向上流側の直近に設けられており、記録シートをレジストローラ対１０６へと搬送するようになっている。
【００５９】
定着装置１２は、トナー像が転写された記録シートを受け取り、この記録シートをヒートローラ３１及び加圧ローラ３２間に挟み込んで搬送する。
【００６０】
ヒートローラ３１は、所定の定着温度となるように温度制御され、加圧ローラ３２とともに記録シートを熱圧着することにより、記録シートに転写されたトナー像を溶融、混合、圧接し、記録シートに対して熱定着させる機能を有している。
【００６１】
各色のトナー像の定着後での記録シートは、排紙ローラ１７によって排紙トレイ１５上に排出される。
【００６２】
なお、４つの画像形成ステーションのうち一つだけを用いて、モノクロ画像を形成し、モノクロ画像を中間転写ベルト装置８の中間転写ベルト７に転写することも可能である。このモノクロ画像も、カラー画像と同様に、中間転写ベルト７から記録シートに転写され、記録シート上に定着される。
【００６３】
また、記録シートの表（オモテ）面だけではなく、両面の画像形成を行う場合は、記録シートの表面の画像を定着装置１２により定着した後に、記録シートをシート搬送路Ｓの排紙ローラ１７により搬送する途中で、排紙ローラ１７を停止させてから逆回転させ、記録シートを表裏反転経路Ｓｒに通して、記録シートの表裏を反転させてから、記録シートを再びレジストローラ対１０６へと導き、記録シートの表面と同様に、記録シートの裏面に画像を記録して定着し、記録シートを排紙トレイ１５に排出する。
【００６４】
［画像読取装置の全体構成について］
図２は、図１に示す画像読取装置１００の概略縦断面図であり、図３は、図１に示す画像読取装置１００の概略斜視図である。
【００６５】
図１から図３に示す画像読取装置１００は、原稿固定方式により原稿Ｇを固定して原稿画像を読み取ると共に、原稿移動方式により原稿Ｇを移動させて原稿画像を読み取るように構成されている。
【００６６】
すなわち、画像読取装置１００は、原稿台ガラス２０１ａ上に載置される原稿Ｇを光源部２１１にて該ガラス２０１ａを通して照明し、該光源部２１１を副走査方向（図中矢印Ｘ方向）に移動させつつ該光源部２１１により照明された原稿Ｇからの反射光を主走査方向（図中矢印Ｙ方向）に走査して原稿画像を読み取る原稿固定読取構成と、自動原稿送り装置３００で原稿読取ガラス２０１ｂ上を通過するように副走査方向Ｘに搬送される原稿Ｇを、原稿読取部２００において定位置Ｐに位置する光源部２１１にて該ガラス２０１ｂを通して照明しつつ該光源部２１１により照明された原稿Ｇからの反射光を主走査方向Ｙに走査して原稿画像を読み取る原稿移動読取構成とを備えている。なお、図２では光源部２１１が定位置Ｐに位置している状態を示している。また、図３において、自動原稿送り装置３００、後述するミラーユニット２０３等は図示を省略している。
【００６７】
詳しくは、原稿読取部２００は、原稿台ガラス２０１ａ、光源部２１１を含む照明装置として作用する光源ユニット２１０、光源部２１１を移動させる光学系駆動部（図示せず）、ミラーユニット２０３、集光レンズ２０４及び撮像素子（ここではＣＣＤ）２０５を備えており、光源部２１１は光源ユニット２１０に設けられており、これらは金属性（ここでは、金属材料で構成された金属製）のフレームの一例である枠体（以下、枠体という）２０２内に収容されている。なお、光源ユニット２１０についてはのちほど詳しく説明する。
【００６８】
原稿台ガラス２０１ａは、透明なガラス板からなり、主走査方向Ｙの両端部が枠体２０２に載置されている。なお、自動原稿送り装置３００は、副走査方向Ｘに沿った軸線回りに（例えばヒンジによって軸支され）原稿読取部２００に対して開閉可能となっており、その下面が原稿読取部２００の原稿台ガラス２０１ａ上に載置された原稿Ｇを上から押さえる原稿押さえ部材を兼ねている。
【００６９】
ミラーユニット２０３は、第２ミラー２０３ａ、第３ミラー２０３ｂ及び支持部材（図示せず）を備えている。前記支持部材は、第２ミラー２０３ａを、光源ユニット２１０における第１ミラー２３０からの光を反射して第３ミラー２０３ｂに導くように支持すると共に、第３ミラー２０３ｂを、第２ミラー２０３ａからの光を反射して集光レンズ２０４に導くように支持している。集光レンズ２０４は、第３ミラー２０３ｂからの光を撮像素子２０５に集光するものであり、撮像素子２０５は、集光レンズ２０４からの光（原稿画像光）を電気信号に画像データとして電気信号に変換するものである。
【００７０】
また、前記光学系駆動部は、光源ユニット２１０を一定の速度で副走査方向Ｘに移動させると共に、ミラーユニット２０３を光源ユニット２１０の移動速度の１／２の移動速度で同じく副走査方向Ｘに移動させるように構成されている。
【００７１】
ここでは、原稿読取部２００は、原稿固定方式に加えて、原稿移動方式にも対応しており、原稿読取ガラス２０１ｂを備えている。従って、前記光学系駆動部は、さらに、光源ユニット２１０を原稿読取ガラス２０１ｂ下方の所定のホームポジションＰに位置させるように構成されている。なお、原稿台ガラス２０１ａ及び原稿読取ガラス２０１ｂは、ここでは個々に独立したものとしているが、これらを一体的に形成したものとしてもよい。この場合、原稿台ガラス２０１ａの一部を前記原稿読取ガラス２０１ｂとすることができる。
【００７２】
自動原稿送り装置３００は、原稿Ｇを搬送するために載置する原稿トレイ３０１と、この原稿トレイ３０１の下方に配置される排出トレイ３０２と、これらの間を接続する第１搬送路３０３と、原稿読取ガラス２０１ｂを基準にして原稿Ｇを該原稿Ｇの搬送方向Ｘ１においてそれぞれ上流側及び下流側で搬送する上流側搬送ローラ対３０４及び下流側搬送ローラ対３０５とからなる２つの搬送ローラ対とを備えている。すなわち、上流側搬送ローラ対３０４、原稿読取ガラス２０１ｂ及び下流側搬送ローラ対３０５は、搬送方向Ｘ１に沿ってこの順に配設されている。また、原稿読取ガラス２０１ｂは、第１搬送路３０３の搬送壁を画するように略水平に設けられている。
【００７３】
自動原稿送り装置３００は、さらに、ピックアップローラ３０６と、サバキローラ３０７と、分離パッド等の分離部材３０８とを備えている。
【００７４】
ピックアップローラ３０６は、原稿トレイ３０１上に載置された原稿Ｇを該原稿トレイ３０１から搬送方向Ｘ１に沿って第１搬送路３０３内へ送り出すものである。サバキローラ３０７は、ピックアップローラ３０６より搬送方向Ｘ１下流側に配置されており、ピックアップローラ３０６にて送られてきた原稿Ｇを分離部材３０８と共に挟持しつつさらに搬送方向Ｘ１下流側へ搬送するものである。分離部材３０８は、サバキローラ３０７に対峙された状態で該サバキローラ３０７との間に搬送される原稿Ｇが１枚になるように該原稿Ｇを捌く（分離する）ようになっている。
【００７５】
かかる構成を備えた自動原稿送り装置３００は、原稿Ｇをピックアップローラ３０６にてサバキローラ３０７と分離部材３０８との間に搬送し、ここで原稿Ｇを捌いて分離すると共にサバキローラ３０７が回転駆動されることによって１枚ずつ搬送するようになっている。そして、サバキローラ３０７にて搬送される原稿Ｇを第１搬送路３０４にて案内して上流側搬送ローラ対３０４に向けて１枚ずつ供給することが可能となっている。
【００７６】
詳しくは、ピックアップローラ３０６は、原稿トレイ３０１に積載された原稿Ｇに対して、図示しないピックアップローラ駆動部にて接離可能とされている。また、ピックアップローラ３０６は、無端ベルト等を含む駆動伝達手段３０９を介してサバキローラ３０７と同方向に回転するように該サバキローラ３０７に連結されている。ピックアップローラ３０６及びサバキローラ３０７は、原稿Ｇの読み取り要求がなされると、図示しない原稿供給駆動部にて原稿Ｇを搬送方向Ｘ１に搬送させる方向（図２中矢印Ｈ）に回転駆動されるようになっている。
【００７７】
本実施の形態では、自動原稿送り装置３００は、原稿Ｇを表裏が逆転するように反転させて該原稿Ｇの一方の面を読み取り可能に搬送した後、該原稿Ｇを表裏が逆転するように反転させて該原稿Ｇの他方の面を読み取り可能に搬送するように構成されている。
【００７８】
詳しくは、自動原稿送り装置３００は、前記の構成に加えて、さらに、反転ローラ対３１０と、第２搬送路３１１と、切換爪３１２とを備えている。
【００７９】
第１搬送路３０３は、原稿Ｇをサバキローラ３０７から上流側搬送ローラ対３０４、原稿読取ガラス２０１ｂ、下流側搬送ローラ対３０５及び反転ローラ対３１０を経て排出トレイ３０２へ搬送するようにループ状に形成されている。反転ローラ対３１０は、下流側搬送ローラ対３０５よりも搬送方向Ｘ１下流側に配設され、かつ、該下流側搬送ローラ対３０５から搬送されてきた原稿Ｇを後端（搬送方向Ｘ１上流側端）が前になるように搬送するためのものである。第２搬送路３１１は、反転ローラ対３１０と下流側搬送ローラ対３０５との間の分岐部Ｓ’から分岐され、かつ、該反転ローラ対３１０にて後端が前になるように搬送された原稿Ｇを該原稿Ｇの表裏が逆転するように反転させるために第１搬送路３０３の上流側搬送ローラ対３０４よりも搬送方向Ｘ１上流側へ導くものである。第１搬送路３０３の反転ローラ対３１０と分岐部Ｓ’との間には、スイッチバック搬送路３１３が形成されている。このスイッチバック搬送路３１３は、反転ローラ対３１０の順方向（原稿Ｇの搬送方向Ｘ１）の回転による原稿Ｇの搬送と、逆方向の回転による原稿Ｇの逆搬送とが可能な搬送路とされている。
【００８０】
切換爪３１２は、分岐部Ｓ’に配置され、かつ、原稿Ｇを反転ローラ対３１０から第２搬送路３１１を介して上流側搬送ローラ対３０４へ導く第１切換姿勢と、原稿Ｇを下流側搬送ローラ対３０５からスイッチバック搬送路３１３を介して反転ローラ対３１０へ導く第２切換姿勢とをとり得るように構成されている。
【００８１】
ここでは、切換爪３１２は、通常状態では、スイッチバック搬送路３１３と第２搬送路３１１とを直結する形態で配置され（第１切換姿勢、図２中実線参照）、原稿読取部２００で原稿画像が読み取られた原稿Ｇが搬送方向Ｘ１に搬送される際には、該原稿Ｇの先端（搬送方向Ｘ１下流側端）が切換爪３１２を押し上げて該原稿Ｇをスイッチバック搬送路３１３へ導くようになっている（第２切換姿勢、図中破線参照）。この分岐爪３１２は、爪部３１２ａが自重で落下し、下流側搬送ローラ対３０５と反転ローラ対３１０との間の第１搬送路３０３を閉塞して前記第１切換姿勢をとるように反転ローラ対３１１の軸線方向に沿った揺動軸Ｑ回りに揺動自在とされている。そして、切換爪３１２は、原稿Ｇの後端がスイッチバック搬送路３１３内に位置し、該原稿Ｇが逆方向に回転する反転ローラ対３１０にて原稿Ｇの搬送方向Ｘ１とは反対方向の逆搬送方向（図中矢印Ｘ２方向）に逆搬送される際には、該原稿Ｇを第２搬送路３１１へ導くようになっている。
【００８２】
なお、原稿トレイ３０１に載置された原稿Ｇのサイズは、原稿トレイ３０１の原稿載置部に配設された原稿サイズセンサ３１４で検出されるようになっている。原稿トレイ３０１に載置された原稿Ｇの有無は、原稿トレイ３０１の原稿載置部のピックアップローラ３０６近傍に配設された原稿有無検知センサ３１５で検出されるようになっている。また、上流側搬送ローラ対３０４は、停止状態においてサバキローラ３０７にて搬送された原稿Ｇの先端を突き合わせて整合し、読み取りタイミングに合わせて回転駆動されるようになっている。こうして搬送される原稿Ｇは、第１搬送路３０３の搬送方向Ｘ１において第２搬送路３１１より下流側、かつ、上流側搬送ローラ対３０４より下流側に配設された搬送センサ３１６で検出されるようになっている。また、反転ローラ対３１０にて排出される原稿Ｇは、反転ローラ対３１０より排出側で該反転ローラ対３１０近傍に配設された排出センサ３１７で検出されるようになっている。なお、搬送ローラ対３０４，３０５、反転ローラ対３１０等は、図示しない搬送系の駆動部にて駆動されるようになっている。
【００８３】
また、本実施の形態においては、原稿搬送部２００は、搬送される原稿Ｇを間にして、原稿読取ガラス２０１ｂと対向する読取ガイド３１８をさらに備えている。
【００８４】
以上説明した画像読取装置１００では、原稿固定方式によって原稿Ｇの原稿画像を読み取る指示がなされると、光源ユニット２１０は原稿台ガラス２０１ａに載置される原稿Ｇに対して光を該原稿台ガラス２０１ａを介して照射しながら一定の速度で副走査方向Ｘの一方側に移動して原稿Ｇの画像を走査し、それと同時にミラーユニット２０３は光源ユニット２１０の移動速度の１／２の移動速度で同じく副走査方向Ｘの一方側に移動する。
【００８５】
光源ユニット２１０にて照明された原稿Ｇからの反射光は、光源ユニット２１０に設けられた第１ミラー２３０で反射したのち、ミラーユニット２０３の第２及び第３ミラー２０３ａ，２０３ｂによって１８０°光路変換され、第３ミラー２０３ｂから反射された光は集光レンズ２０４を介して撮像素子２０５に結像し、ここで原稿画像光が読み取られて電気的な画像データに変換される。
【００８６】
一方、原稿移動方式によって原稿Ｇの原稿画像を読み取る指示がなされると、光源ユニット２１０及びミラーユニット２０３が図２に示される位置に静止したまま、自動原稿送り装置３００によって原稿Ｇが図２に示される位置の上部を通過するように副走査方向Ｘの一方側に搬送される。すなわち、原稿トレイ３０１に載置された原稿Ｇは、ピックアップローラ３０６によって取り出され、サバキローラ３０７及び分離部材３０８によって１枚ずつに分離され、第１搬送路３０３に搬送される。第１搬送路３０３に搬送された原稿Ｇは、搬送センサ３１６で原稿Ｇの搬送が確認された後、上流側搬送ローラ対３０４によって、斜行防止のために先端が揃えられると共に、規定の読み取りタイミングで送り出され、表裏が反転されて原稿読取ガラス２０１ｂへと搬送される。
【００８７】
そして、原稿読取ガラス２０１ｂ上を通過した原稿Ｇの一方の面に、光源ユニット２１０からの光が該原稿読取ガラス２０１ｂを介して照射されて該一方の面で反射される。この原稿Ｇの一方の面から反射された光は、上述の原稿固定方式と同様に第１ミラー２３０によって反射された後、ミラーユニット２０３の第２及び第３ミラー２０３ａ，２０３ｂによって１８０°光路変換され、集光レンズ２０４を介して撮像素子２０５に結像し、ここで原稿画像が読み取られて電気的な画像データに変換される。なお、この撮像素子２０５による読み取り動作は、後述する両面読み取りの場合も同様であり、以下では説明を省略する。
【００８８】
読み取りの終了した原稿Ｇは、下流側搬送ローラ対３０５によって読取ガラス２０１上から引き出され、第１搬送路３０３のスイッチバック搬送路３１３を介して、可逆回転可能な反転ローラ対３１０によって排出トレイ３０２上に排出される。
【００８９】
また、原稿Ｇの一方の面と他方の面との両面を読み取る場合には、一方の面が読み取られた原稿Ｇが排出トレイ３０２に排出されることなく、該原稿Ｇの後端がスイッチバック搬送路３１３内に位置するように搬送され、逆方向に回転する反転ローラ対３１０にて逆搬送方向Ｘ２に逆搬送されて第１切換姿勢にある切換爪３１２にて第２搬送路３１１へ導かれる。第２搬送路３１１に導かれた原稿Ｇは、第２搬送路３１１を介して、再度、第１搬送路３０３に戻ることで、表裏が反転されて上流側搬送ローラ対３０４にて搬送され、原稿読取ガラス２０１ｂ上を通過して他方の面が読み取られる。こうして両面の読み取りが終わった原稿Ｇは、再度、第１搬送路３０３に戻ることで、表裏が反転されて搬送ローラ対３０４，３０５にて搬送され、その後、第１搬送路３０３のスイッチバック搬送路３１３を通過し、順方向に回転する反転ローラ対３１０を介して排出トレイ３０２に排出される。
【００９０】
本発明の実施形態に係る光源ユニットとして、一つ又は二つ以上の導光部材を備えたものとして構成することができる。ここでは、二つの第１及び第２導光部材２１３ａ，２１３ｂを備えた光源ユニット２１０を例にとって以下に説明する。
【００９１】
図４は、本実施形態に係る光源ユニット２１０の概略構成を示す概略斜視図であり、図５は、光源ユニット２１０における光源導光部材ユニット２２０を示す概略斜視図である。
【００９２】
また、図６は、光源ユニット２１０における二つの光源基板２１２’，２１２”を示す概略図であって、図６（ａ）は、該各光源基板２１２’，２１２”の正面図を示しており、図６（ｂ）は、該各光源基板２１２’，２１２”の側面図を示している。なお、二つの光源基板２１２’，２１２”は、同一構成の部材であり、図６では一つの図で示している。また、図６において、符号Ｃ１は各光源部２１１ａ’，２１１ｂ’，２１１ａ”，２１１ｂ”の台座を示しており、符号Ｃ２はコネクタ端子を示しており、符号Ｃ３は光源基板２１２’，２１２”の取り付けビス穴を示している。
【００９３】
また、図７は、光源ユニット２１０の要部を長手方向両外側から視た概略側面図であって、図７（ａ）は、一方の外側から視た図を示しており、図７（ｂ）は、他方の外側から視た図を示している。なお、図７において、台座Ｃ１、コネクタ端子Ｃ２及び取り付けビス穴Ｃ３は図示を省略している。
【００９４】
また、図８は、第１及び第２導光部材２１３ａ，２１３ｂにおける光の反射状態を説明するための概略断面図であって、図８（ａ）は、発光面が対向する二つの第１光源部２１１ａ’，２１１ａ”からの光を長手方向Ｙ両端面２１３ａ’，２１３ａ”から導光することで光射出面Ｍから原稿Ｇに照射する光の反射状態を示しており、図８（ｂ）は、発光面が対向する二つの第２光源部２１１ｂ’，２１１ｂ”からの光を長手方向Ｙ両端面２１３ｂ’，２１３ｂ”から導光することで光射出面Ｍから原稿Ｇに照射する光の反射状態を示している。なお、図８において、原稿と光源部との間に設けられるガラスは図示を省略している。
【００９５】
光源ユニット２１０は、二つの光源基板２１２’，２１２”と、第１及び第２導光部材２１３ａ，２１３ｂと、基体２１４と、第１及び第２反射部材（ここでは反射フィルム）２１５ａ，２１５ｂとを備えている。
【００９６】
本実施の形態においては、二つの光源基板２１２’，２１２”のうち、一方の光源基板２１２’は、一方の第１光源基板２１２ａ’と一方の第２光源基板２１２ｂ’とを一体形成したものとされている（図６参照）。一方の第１光源基板２１２ａ’は、第１導光部材２１３ａに光を射出する一方の第１光源部２１１ａ’を搭載している。一方の第２光源基板２１２ｂ’は、第２導光部材２１３ｂに光を射出する一方の第２光源部２１１ｂ’を搭載している。また、二つの光源基板２１２’，２１２”のうち、他方の光源基板２１２”は、他方の第１光源基板２１２ａ”と他方の第２光源基板２１２ｂ”とを一体形成したものとされている（図６参照）。他方の第１光源基板２１２ａ”は、第１導光部材２１３ａに光を射出する他方の第１光源部２１１ａ”を搭載している。他方の第２光源基板２１２ｂ”は、第２導光部材２１３ｂに光を射出する他方の第２光源部２１１ｂ”を搭載している。なお、光源部は、図２の符号２１１の部材に対応している。
【００９７】
具体的には、一方の第１及び第２光源部２１１ａ’，２１１ｂ’並びに他方の第１及び第２光源部２１１ａ”，２１１ｂ”は、何れもＬＥＤ発光素子からなるＬＥＤ光源部とされている。
【００９８】
第１及び第２導光部材２１３ａ，２１３ｂは、何れも透光性を有する材料からなり、主走査方向Ｙに延びる長尺なものとされている。第１及び第２導光部材２１３ａ，２１３ｂは、互いに長手方向Ｙが揃うように所定の間隔をおいて原稿Ｇの光照射面に沿った副走査方向Ｘに並んで配設されている。
【００９９】
第１導光部材２１３ａは、一方の第１光源部２１１ａ’からの光を長手方向Ｙ一端面２１３ａ’から導光すると共に、他方の第１光源部２１１ａ”からの光を長手方向Ｙ他端面２１３ａ”から導光することで長手方向Ｙに延びる光射出面（頂面）Ｍから原稿Ｇに光照射するものである（図８（ａ）参照）。第２導光部材２１３ｂは、一方の第２光源部２１１ｂ’からの光を長手方向Ｙ一端面２１３ｂ’から導光すると共に、他方の第２光源部２１１ｂ”からの光を長手方向Ｙ他端面２１３ｂ”から導光することで長手方向Ｙに延びる光射出面（頂面）Ｍから原稿Ｇに光照射するものである（図８（ｂ）参照）。
【０１００】
具体的には、第１及び第２導光部材２１３ａ，２１３ｂは、何れも直方体形状のものとされている。ここでは、第１及び第２導光部材２１３ａ，２１３ｂは、何れもアクリル樹脂で形成されている。また、第１及び第２導光部材２１３ａ，２１３ｂの光射出面Ｍとは反対側に位置する面（底面）は、何れも反射面Ｎ１とされている。この反射面Ｎ１は、ここでは、長手方向Ｙに直交する光射出面Ｍに沿った幅方向Ｘａ，Ｘｂから視て微小な三角形状（例えばノコギリ状）に形成されている。また、長手方向Ｙの中央に行くに従って光量を向上させるという観点から、三角形状に形成された反射面Ｎ１の山と山との頂点間の間隔は、長手方向Ｙの中央に行くに従い次第に小さくなっている。
【０１０１】
図４、図５及び図７に示すように、基体２１４は、一方の光源基板２１２’を第１及び第２導光部材２１３ａ，２１３ｂの長手方向一端面２１３ａ’，２１３ｂ’側で固定する一方の固定部（ここではビスＳＣで固定するビス穴）２１４’と、他方の光源基板２１２”を第１及び第２導光部材２１３ａ，２１３ｂの長手方向他端面２１２ａ”，２１３ｂ”側で固定する他方の固定部（ここではビスＳＣで固定するビス穴）２１４”とを有している。こうして、一方の第１及び第２光源部２１１ａ’，２１１ｂ’が第１及び第２導光部材２１３ａ，２１３ｂの長手方向一端面２１３ａ’，２１３ｂ’に、また、他方の第１及び第２光源部２１１ａ”，２１１ｂ”が第１及び第２導光部材２１３ａ，２１３ｂの長手方向他端面２１３ａ”，２１３ｂ”にそれぞれ配置されている。
【０１０２】
基体２１４は、さらに、第１導光部材２１３ａを支持する第１支持部２１４ａと、第２導光部材２１３ｂを支持する第２支持部２１４ｂと、第１支持部２１４ａ及び第２支持部２１４ｂを連結する連結部２１４ｃとを有している。そして、第１支持部２１４ａと第２支持部２１４ｂとの間に設けられた連結部２１４ｃには、原稿Ｇからの反射光を通過させるための長手方向Ｙに沿って延びるスリットＲが形成されている。なお、第１支持部２１４ａと第２支持部２１４ｂと連結部２１４ｃとは、ここでは一体的に形成された支持板２１４ｄとして構成されている。
【０１０３】
具体的には、第１及び第２支持部２１４ａ，２１４ｂは、何れも長手方向Ｙから視た側面視でコ字状に形成されている。すなわち、第１及び第２支持部２１４ａ，２１４ｂは、何れも長手方向Ｙに延びる底板と該底板の長手方向Ｙに直交する光射出面Ｍに沿った幅方向Ｘａ，Ｘｂ両端部から原稿Ｇ側へ垂直又は略垂直に延びる両側板からなっている。第１及び第２支持部２１４ａ，２１４ｂは、長手方向Ｙが揃うように所定の間隔をおいて長手方向Ｙに直交する原稿Ｇの光照射面に沿った方向Ｘに並んで配設されている。また、第１支持部２１４ａのコ字状開放端の第２支持部２１４ｂ側と、第２支持部２１４ｂのコ字状開放端の第１支持部２１４ａ側とが連結部２１４ｃで連結されており、この連結部２１４ｃの長手方向Ｙ両端部のうち、一端部に一方の固定部２１４’が設けられており、他端部に他方の固定部２１４”が設けられている。なお、第１及び第２導光部材２１３ａ，２１３ｂは、それらの光射出面Ｍから射出される光が原稿Ｇの光照射面上で交差するように（ここでは長手方向Ｙから視た側面視で原稿Ｇの光照射面に入射する光の入射角が等しくなるように）配置されている。従って、ここでは、第１及び第２支持部２１４ａ，２１４ｂは、長手方向Ｙから視た側面視において、コ字状開放端とは反対側のコ字状基端側が開くように「ハの字」形に配置されている。
【０１０４】
第１反射部材２１５ａは、主として第１導光部材２１３ａ内を通過する光を該導光部材２１３ａの長手方向Ｙに直交する光射出面Ｍに沿った幅方向Ｘａ両側の側面Ｎ２，Ｎ２で反射させるものであり、第２反射部材２１５ｂは、主として第２導光部材２１３ｂ内を通過する光を該導光部材２１３ｂの幅方向Ｘｂ両側の側面Ｎ２，Ｎ２で反射させるものである（図７参照）。
【０１０５】
具体的には、第１反射部材２１５ａは、第１導光部材２１３ａの両端面２１３ａ’、２１３ａ”及び光射出面Ｍ以外の面に配置されている。第２反射部材２１５ｂは、第２導光部材２１３ｂの両端面２１３ｂ’、２１３ｂ”及び光射出面Ｍ以外の面に配置されている。第１及び第２反射部材２１５ａ，２１５ｂは、何れも高反射率を有する反射フィルム（例えば、９８％以上の高反射率を有するビキュイティ（登録商標）ＤＥＳＲ−Ｍシリーズ（住友スリーエム社製））で構成されており、それぞれ、第１及び第２導光部材２１３ａ，２１３ｂの反射面Ｎ１及び両側面Ｎ２，Ｎ２のうち少なくとも両側面Ｎ２，Ｎ２に配置されている。
【０１０６】
本実施の形態では、基体２１４は、さらに、第１及び第２導光部材２１３ａ，２１３ｂをそれぞれ保持する第１及び第２保持部材２１６ａ，２１６ｂを備えている。
【０１０７】
第１保持部材２１６ａは、第１保持部２１６１ａと第１傾斜部２１６２ａとを有している。第１保持部２１６１ａは、第１導光部材２１３ａを着脱自在に保持するものである。第１傾斜部２１６２ａは、第１導光部材２１３ａの光射出面Ｍから射出される光を反射すると共に第１導光部材２１３ａから遠ざかるに従って斜めに開くように第１保持部２１６１ａの光射出面Ｍ側先端から延設されている。また、第２保持部材２１６ｂは、第２保持部２１６１ｂと第２傾斜部２１６２ｂとを有している。第２保持部２１６１ｂは、第２導光部材２１３ｂを着脱自在に保持するものである。第２傾斜部２１６２ｂは、第２導光部材２１３ｂの光射出面Ｍから射出される光を反射すると共に第２導光部材２１３ｂから遠ざかるに従って斜めに開くように第２保持部２１６１ｂの光射出面Ｍ側先端から延設されている。
【０１０８】
本実施の形態では、第１及び第２保持部２１６１ａ，２１６１ｂは、何れも長手方向Ｙから視た側面視でコ字状に形成されている。すなわち、第１及び第２保持部２１６１ａ，２１６１ｂは、何れも長手方向Ｙに延びる底板と該底板の長手方向Ｙに直交する光射出面Ｍに沿った幅方向Ｘａ，Ｘｂ両端部から原稿Ｇ側へ垂直又は略垂直に延びる両側板からなっている。そして、第１及び第２傾斜部２１６２ａ，２１６２ｂは、それぞれ、長手方向Ｙから視た側面視で第１及び第２導光部材２１３ａ，２１３ｂから遠ざかるに従って斜めに開く「ハの字」形に形成されている。
【０１０９】
第１及び第２保持部２１６１ａ，２１６１ｂは、それぞれ、第１及び第２導光部材２１３ａ，２１３ｂをコ字状内面で着脱自在に嵌着するようになっている。これにより、第１及び第２保持部２１６１ａ，２１６１ｂは、それぞれ、第１及び第２導光部材２１３ａ，２１３ｂを内面に密着させた状態で確実に保持することができる。また、第１及び第２保持部材２１６ａ，２１６ｂは、それぞれ、第１及び第２支持部２１４ａ，２１４ｂに着脱自在に嵌入されている。これにより、第１及び第２支持部２１４ａ，２１４ｂから第１及び第２保持部材２１６ａ，２１６ｂを取り外した状態でそれぞれ第１及び第２保持部２１６１ａ，２１６１ｂに対する第１及び第２導光部材２１３ａ，２１３ｂの取り外しができるので、それだけ第１及び第２導光部材２１３ａ，２１３ｂの交換性を向上させることができる。また、第１及び第２反射部材２１５ａ，２１５ｂは、第１及び第２保持部２１６１ａ，２１６１ｂにそれぞれ支持されている。なお、第１及び第２保持部２１６１ａ，２１６１ｂ自身がそれぞれ第１及び第２反射部材２１５ａ，２１５ｂとされていてもよい。
【０１１０】
例えば、第１及び第２保持部２１６１ａ，２１６１ｂ並びに第１及び第２傾斜部２１６２ａ，２１６２ｂは、何れもテンレス鋼（ＳＵＳ）等の金属材料で構成することができる。この場合、第１及び第２保持部２１６１ａ，２１６１ｂをそれぞれ第１及び第２反射部材２１５ａ，２１５ｂとして兼ねることができる。これにより、第１及び第２保持部２１６１ａ，２１６１ｂの内面は、それぞれ、第１及び第２導光部材２１３ａ，２１３ｂ内の光を反射させる反射面として作用することができる。なお、第１及び第２導光部材２１３ａ，２１３ｂと、第１及び第２保持部材２１６ａ，２１６ｂと、支持板２１４ｄとで光源導光部材ユニット２２０を構成している。また、支持板２１４ｄと第１及び第２保持部材２１６ａ，２１６ｂとが一体的に形成されていてもよい。
【０１１１】
ここでは、第１保持部材２１６ａを構成する第１保持部２１６１ａ及び第１傾斜部２１６２ａの内面に第１反射部材２１５ａとして反射フィルムが貼り付けられている。また、第２保持部材２１６ｂを構成する第２保持部２１６１ｂ及び第２傾斜部２１６２ｂの内面に第２反射部材２１５ｂとして反射フィルムが貼り付けられている。
【０１１２】
光源ユニット２１０は、さらに、第１ミラー２３０（図２参照）を備えている。第１ミラー２３０は、原稿Ｇの光照射面にて反射した光を基体２１４における連結部２１４ｃに設けられたスリットＲを介してミラーユニット２０３の第２ミラー２０３ａに導くように図示しない支持部材に支持されている。
【０１１３】
図９は、自動原稿送り装置３００を取り外した状態の画像読取装置１００を平面から視た概略平面図である。
【０１１４】
図９に示すように、画像読取装置１００は、原稿台ガラス２０１ａ上に載置される原稿Ｇの位置決めを行うための原稿ガイド２０６を備えている。
【０１１５】
具体的には、原稿ガイド２０６は、原稿台ガラス２０１ａの主走査方向Ｙ他方側端部に設けられて原稿Ｇの主走査方向Ｙ他方側への移動を規制する第１原稿ガイド２０６ａと、原稿台ガラス２０１ａの副走査方向Ｘの一方側端部に設けられて原稿Ｇの副走査方向Ｘ一方側への移動を規制する第２原稿ガイド２０６ｂとからなっている。
【０１１６】
また、本実施の形態においては、主走査方向Ｙの一方側（図９中前側）がユーザー操作側となるように構成されている。具体的には、画像読取装置１００の主走査方向Ｙの一方側に図示しない操作部が配設されている。
【０１１７】
［本発明の特徴部分の説明］
本実施の形態に係る光源ユニット２１０において、一方の第１及び第２光源部２１１ａ’，２１１ｂ’（以下、単に一方の光源部２１１’という）及び他方の第１及び第２光源部２１１ａ”，２１１ｂ”（以下、単に他方の光源部２１１”という）が主走査方向Ｙ両側にそれぞれ設けられている。
【０１１８】
図１０は、光源ニット２１０の側面図を含む原稿台ガラス２０１ａ側の断面図（図９のＶ１−Ｖ１線断面図）であって、原稿台ガラス２０１ａを載置する枠体２０２と光源部２１１’，２１１”との位置関係を説明するための図である。また、図１１は、光源ニット２１０の側面図を含む原稿読取ガラス２０１ｂ側の断面図（図９のＶ２−Ｖ２線断面図）であって、原稿読取ガラス２０１ｂを載置する枠体２０２と光源部２１１’，２１１”との位置関係を説明するための図である。
【０１１９】
図１０及び図１１に示すように、枠体２０２は、原稿台ガラス２０１ａ及び原稿読取ガラス２０１ｂの主走査方向Ｙ一端部側底面２０１ａ’，２０１ｂ’を載置する一方の枠体２０２’と、原稿台ガラス２０１ａ及び原稿読取ガラス２０１ｂ（以下、単にガラス２０１ということがある。）の主走査方向Ｙ他端側底面２０１ａ”，２０１ｂ”を載置する他方の枠体２０２”とを有している。
【０１２０】
具体的には、一方の枠体２０２’は、ガラス２０１に沿って配置されて該ガラス２０１の一端部側底面２０１ａ’，２０１ｂ’を載置する板状部２０２ａ’を有している。同様に、他方の枠体２０２”は、ガラス２０１に沿って配置されて該ガラス２０１の他端側底面２０１ａ”，２０１ｂ”を載置する板状部２０２ａ”を有している。
【０１２１】
そして、一方の光源部２１１’及び他方の光源部２１１”のうち少なくとも一方の光源部（ここでは一方の光源部２１１’）は、ガラス２０１の該光源部（ここでは一方の光源部２１１’）側を載置する枠体（ここでは一方の枠体２０２’の板状部２０２ａ’）より下方にあって、かつ、該枠体２０２’の主走査方向Ｙ内側へ向く先端２０２ｂ’の位置Ｗより主走査方向Ｙ外側に位置している。
【０１２２】
以上説明した画像読取装置１００では、両光源部２１１’，２１１”が原稿Ｇの主走査方向Ｙ両側にそれぞれ設けられているので、ガラス２０１（原稿固定方式で原稿画像を読み取る場合には原稿台ガラス２０１ａ、原稿移動読取方式で原稿画像を読み取る場合には原稿読取ガラス２０１ｂ）の主走査方向Ｙ中央部の温度を抑制することができる。さらに、両光源部２１１’，２１１”のうち少なくとも一方の光源部（ここでは一方の光源部２１１’）は、ガラス２０１の該光源部２１１’側を載置する枠体２０２’より下方にあって、かつ、該枠体２０２’の主走査方向Ｙ内側へ向く先端２０２ｂ’の位置Ｗより主走査方向Ｙ外側に位置するので、該光源部２１１’で発生する熱は、主としてガラス２０１の該光源部２１１’側における枠体２０２’を間にして加熱することになり、従って、該枠体２０２’により該光源部２１１’で発生する熱を放熱でき、これにより、原稿Ｇの主走査方向Ｙ中央部だけでなく、ガラス２０１の該光源部２１１’側において温度が高くなることを抑制でき、ひいては原稿Ｇの該光源部２１１’側端領域の温度が高くなることを抑制できる。従って、操作するユーザーの不快感を緩和することができる。
【０１２３】
特に、原稿移動読取方式で原稿画像を読み取る場合、自動原稿送り装置３００により原稿Ｇを移動させて原稿画像を読み取る際に光源部２１１’，２１１”が停止状態で原稿Ｇを、原稿読取ガラス２０１ｂを介して照明することで高くなりやすい該原稿読取ガラス２０１ｂの温度を効果的に抑制することができる。
【０１２４】
なお、各第１光源部２１１ａ’，２１１ａ”のうち少なくとも一方、或いは、各第２光源部２１１ｂ’，２１１ｂ”のうち少なくとも一方は、２以上の光源（例えばＬＥＤ素子）からなる光源群として構成されていてもよい。
【０１２５】
本実施の形態においては、一方の光源部２１１’及び他方の光源部２１１”のうち少なくともユーザー操作側の光源部（ここでは一方の光源部２１１’）が、ガラス２０１の該光源部２１１’側を載置する枠体２０２’より下方にあって、かつ、該枠体２０２’の主走査方向Ｙ内側へ向く先端２０２ｂ’の位置Ｗより主走査方向Ｙ外側に位置している。
【０１２６】
この構成では、ガラス２０１のユーザー操作側において温度が高くなることを抑制でき、ひいてはユーザーが触れる頻度の高い原稿Ｇのユーザー操作側の温度が高くなることを抑制できる。従って、操作するユーザーの不快感をさらに緩和することができる。
【０１２７】
本実施の形態において、ガラス２０１の主走査方向Ｙ一端部側底面２０１ａ’と該底面２０１ａ’を載置する一方の金属性フレーム２０２’との間、及びガラス２０２の主走査方向Ｙ他端部側底面２０１ａ”と該底面２０１ａ”を載置する他方の金属性フレーム２０２”との間にそれぞれ空間を設けるための間隙部材又は間隙部を介在させてもよい。
【０１２８】
図１２は、間隙部材２０７ａ又は間隙部２０７ｂによって、枠体２０２’，２０２”とガラス２０１との間に空間ＳＰが設けられている状態を示す側面図であって、図１２（ａ）は、該枠体２０２’，２０２”とガラス２０１との間に設けられる間隙部材２０７ａの一例を示しており、図１２（ｂ）は、該枠体２０２’，２０２”とガラス２０１との間に設けられる間隙部２０７ｂの一例を示している。
【０１２９】
この構成では、図１２に示すように、間隙部材２０７ａ又は間隙部２０７ｂによって、枠体２０２’，２０２”とガラス２０１との間に空間ＳＰが設けられるので、該空間ＳＰによって、該枠体２０２’，２０２”からの熱を該ガラス２０１へ伝達することを妨げることができる。
【０１３０】
なお、間隙部材２０７ａ及び間隙部２０７ｂは複数設けることができる。具体的には、間隙部材２０７ａ及び間隙部２０７ｂは、間隔をおいて均等に複数点在させることができる。間隙部材２０７ａのサイズとしては、５ｍｍ〜１０ｍｍ程度を例示でき、間隙部材２０７ａの厚みｄとしては、１ｍｍ程度を例示できる。間隙部２０７ｂの高さとしては、１ｍｍ程度を例示できる。
【０１３１】
図１２（ａ）に示す間隙部材２０７ａは、例えば、断熱性に優れたゴム材料からなる部材で構成され得る。このように間隙部材２０７ａが断熱性に優れた材料とされていると、前記熱伝達をさらに妨げることができる。また、図１２（ｂ）に示す間隙部２０７ｂは、例えば、ガラス２０１及び枠体２０２’，２０２”の何れか一方に（図示例では枠体２０２’，２０２”に一体的に）形成された突起部とすることができる。このように突起部２０７ｂが形成されると、該突起部２０７ｂがガラス２０１に点接触することができ、これにより、前記熱伝達をさらに妨げることができる。
【０１３２】
なお、実施形態に係る光源ユニット２１０は、光源部２１１’，２１１”と枠体２０２’，２０２”との位置関係に関わらず、両光源部２１１’，２１１”のうち少なくとも一方の光源部は、原稿画像が読み取られる最大サイズの原稿の主走査方向Ｙ両端より外側に配置されていてもよい。
【０１３３】
図１３は、最大サイズの原稿Ｇｍａｘと両光源部２１１’，２１１”との位置関係を説明するための副走査方向Ｘ一方側から視た概略側面図である。
【０１３４】
この構成では、両光源部２１１’，２１１”のうち少なくとも一方の光源部（図示例では双方の光源部２１１’，２１１”）が、原稿画像が読み取られる最大サイズの原稿Ｇｍａｘの主走査方向Ｙ両端Ｇｍａｘ’，Ｇｍａｘ”より外側に配置されている。従って、該光源部２１１’，２１１”で発生する熱は、主としてガラス２０１の最大原稿Ｇｍａｘの主走査方向Ｙ両端Ｇｍａｘ’，Ｇｍａｘ”より外側を加熱することになり、これにより、ガラス２０１の最大原稿領域Ｇａの主走査方向Ｙ両端Ｇｍａｘ’，Ｇｍａｘ”より外側において温度が高くなることを抑制でき、それだけ原稿Ｇの該光源部２１１’，２１１”側端領域の温度が高くなることを抑制できる。
【０１３５】
ここで、主走査方向Ｙにおいて、原稿Ｇｍａｘの主走査方向Ｙ一端Ｇｍａｘ’と一方の光源部２１１’との第１距離ｄ１及び原稿Ｇｍａｘの主走査方向Ｙ他端Ｇｍａｘ”と他方の光源部２１１”との第２距離ｄ２は、原稿Ｇｍａｘの光照射面に直交する方向（図中Ｚ方向）において原稿Ｇｍａｘの光照射面と光源部２１１’，２１１”（ここでは原稿Ｇｍａｘに近い方の光源部の中心）との第３距離ｄ３よりも長くなっている。
【０１３６】
具体的には、光源部２１１’，２１１”の発熱量にもよるが、ここでは、第１距離ｄ１は、１０ｍｍ〜２５ｍｍ（好ましくは１９．５ｍｍ）程度とされており、第２距離ｄ２は、１０ｍｍ〜１９ｍｍ（好ましくは１４ｍｍ）程度とされており、第３距離ｄ３は、６ｍｍ〜１２ｍｍ（好ましくは９ｍｍ）程度とされている。
【０１３７】
なお、原稿Ｇへの光照射光量の向上とガラス２０１の温度低下との最適なバランスを考慮するという観点から、第１距離ｄ１に対する第３距離ｄ３の比率（ｄ３／ｄ１）としては、０．２（６ｍｍ／２５ｍｍ）〜１．２（１２ｍｍ／１０ｍｍ）程度を例示でき、第２距離ｄ２に対する第３距離ｄ３の比率（ｄ３／ｄ２）としては０．３（６ｍｍ／１９ｍｍ）〜１．２（１２ｍｍ／１０ｍｍ）程度を例示できる。
【０１３８】
何れにしても、両光源部２１１’，２１１”のうち少なくとも一方の光源部は、ガラス２０１の主走査方向Ｙ両端より外側に配置されていることが好ましい。
【０１３９】
図１４は、ガラス２０１と両光源部２１１’，２１１”との位置関係を説明するための副走査方向Ｘ一方側から視た概略側面図である。
【０１４０】
この構成では、両光源部２１１’，２１１”のうち少なくとも一方の光源部（図示例では双方の光源部２１１’，２１１”）が、ガラス２０１の主走査方向Ｙ両端２０１’，２０１”より外側に配置されている。従って、該光源部２１１’，２１１”で発生する熱は、主としてガラス２０１の主走査方向Ｙ両端２０１’，２０１”より外側を加熱することになり、これにより、該光源部２１１’，２１１”で発生する熱によるガラス２０１の温度上昇の影響を可及的になくすことができ、それだけ原稿Ｇの該光源部２１１’，２１１”側端領域の温度が高くなることを効果的に防止できる。
【０１４１】
本実施の形態においては、図４、図５及び図８に示すように、一方の光源基板２１２’と第１及び第２導光部材２１３ａ，２１３ｂとの間に一方の反射部材２１８’を介在させると共に、他方の光源基板２１２”と第１及び第２導光部材２１３ａ，２１３ｂとの間に他方の反射部材２１８”を介在させている。
【０１４２】
具体的には、一方の反射部材２１８’は、支持板２１４ｄの長手方向Ｙ一端部が装着された状態で一方の固定部２１４’に取り付けられ、その外側に一方の光源基板２１２’が配置されている。また、他方の反射部材２１８”は、支持板２１４ｄの長手方向Ｙ他端部が装着された状態で他方の固定部２１４”に取り付けられ、その外側に他方の光源基板２１２”が配置されている。
【０１４３】
本実施の形態においては、光源ユニット２１０は、さらに、一方の放熱部材２１９’及び他方の放熱部材２１９”を備えている。一方の放熱部材２１９’は、一方の反射部材２１８’及び一方の光源基板２１２’を包囲するように一方の反射部材２１８’に密着して配置されている。他方の放熱部材２１９”は、他方の反射部材２１８”及び他方の光源基板２１２”を包囲するように他方の反射部材２１８”に密着して配置されている。
【０１４４】
具体的には、一方の放熱部材２１９’は、一方の反射部材２１８’の幅方向両側面に密着すると共に一方の光源基板２１２’の裏面を囲繞するように光源ユニット２１０の枠体２１０ｘに取り付けられている。また、他方の放熱部材２１９”は、他方の反射部材２１８”の幅方向両側面に密着すると共に他方の光源基板２１２”の裏面を囲繞するように光源ユニット２１０の枠体２１０ｘに取り付けられている。
【０１４５】
各反射部材２１８’，２１８”並びに各放熱部材２１９’，２１９”は、ここでは、何れもアルミニウム等の金属材料で構成されている。なお、一方の反射部材２１８’には、一方の第１及び第２光源部２１１ａ’，２１１ｂ’からの光を通過させるための貫通穴Ｔ’が設けられており、他方の反射部材２１８”には、他方の第１及び第２光源部２１１ａ”，２１１ｂ”からの光を通過させるための貫通穴Ｔ”が設けられている。
【０１４６】
かかる構成によれば、第１及び第２導光部材２１３ａ，２１３ｂの長手方向Ｙ一端面２１３ａ’，２１３ｂ’側の反射面を一方の反射部材２１８’による反射面とすることができ、これにより他方の第１及び第２光源部２１１ａ”，２１１ｂ”から第１及び第２導光部材２１３ａ，２１３ｂの長手方向Ｙ他端面２１３ａ”，２１３ｂ”をそれぞれ通って該導光部材２１３ａ，２１３ｂ内に導入された光（特に光軸Ｌａ”，Ｌｂ”）が一方の反射部材２１８’の反射面で反射するため、反射効率をさらに向上させることができる。また、第１及び第２導光部材２１３ａ，２１３ｂの長手方向Ｙ他端面２１３ａ”，２１３ｂ”側の反射面を他方の反射部材２１８”による反射面とすることができ、これにより一方の第１及び第２光源部２１１ａ’，２１１ｂ’から第１及び第２導光部材２１３ａ，２１３ｂの長手方向Ｙ一端面２１３ａ’，２１３ｂ’を通って該導光部材２１３ａ，２１３ｂ内に導入された光（特に光軸Ｌａ’，Ｌｂ’）が他方の反射部材２１８”の反射面で反射するため、反射効率をさらに向上させることができる。従って、一方の第１及び第２光源部２１１ａ’，２１１ｂ’の光軸Ｌａ’，Ｌｂ’並びに他方の第１及び第２光源部２１１ａ”，２１１ｂ”の光軸Ｌａ”，Ｌｂ”が導光部材２１３ａ，２１３ｂ内で反射される際の反射ロスをさらに抑えることができ、それだけ光射出面Ｍから原稿Ｇの光照射面を照射する光の光量を増大させることができる。
【０１４７】
しかも、この構成では、一方の反射部材２１８’及び他方の反射部材２１８”は、何れも熱伝導性に優れた金属材料で構成されているので、一方の第１及び第２光源部２１１ａ’，２１１ｂ’並びに他方の第１及び第２光源部２１１ａ”，２１１ｂ”で発生する熱を該反射部材２１８’，２１８”で効果的に放熱することができる。
【０１４８】
さらに、本実施の形態では、一方の反射部材２１８’に密着した状態で設けられた一方の放熱部材２１９’が一方の反射部材２１８’及び一方の光源基板２１２’を包囲しているので、一方の第１及び第２光源部２１１ａ’，２１１ｂ’で発生する熱を直接的にかつ一方の反射部材２１８’を通じて間接的に放熱することができる。また、他方の反射部材２１８”に密着した状態で設けられた他方の放熱部材２１９”が他方の反射部材２１８”及び他方の光源基板２１２”を包囲しているので、他方の第１及び第２光源部２１１ａ”，２１１ｂ”で発生する熱を直接的にかつ他方の反射部材２１８”を通じて間接的に放熱することができる。なお、各反射部材２１８’，２１８”は、反射フィルムと、この反射フィルムを支持する金属製部材等の熱伝導性に優れた部材とで構成されていてもよい。
【０１４９】
以上、一方の光源部２１１’及び他方の光源部２１１”が主走査方向Ｙ両側にそれぞれ設けられている画像読取装置１００について説明したが、次に、光源部が主走査方向両側のうち何れか一方側に（ここでは他方の光源部２１１”のみが）設けられている画像読取装置１００について説明する。
【０１５０】
図１５は、他方の光源部２１１”のみが設けられている画像読取装置１００において光源ニット２１０の側面図を含む原稿台ガラス２０１ａ側の断面図であって、原稿台ガラス２０１ａを載置する枠体２０２と光源部２１１”との位置関係を説明するための図である。また、図１６は、他方の光源部２１１”のみが設けられている画像読取装置１００において光源ニット２１０の側面図を含む原稿読取ガラス２０１ｂ側の断面図であって、原稿読取ガラス２０１ｂを載置する枠体２０２と光源部２１１”との位置関係を説明するための図である。なお、図１５及び図１６において、図１０及び図１１に示す構成要素と同じ要素には同一符号を付している。
【０１５１】
図１５及び図１６に示す画像読取装置１００では、光源部２１１”は、ガラス２０１の光源部２１１”側を載置する他方の枠体２０２”の板状部２０２ａ”より下方にあって、かつ、該枠体２０２”の主走査方向Ｙ内側へ向く先端２０２ｂ”の位置Ｗより主走査方向Ｙ外側に位置している。
【０１５２】
この画像読取装置１００では、光源部２１１”が原稿Ｇの主走査方向Ｙ片側に設けられているので、ガラス２０１（原稿固定方式で原稿画像を読み取る場合には原稿台ガラス２０１ａ、原稿移動読取方式で原稿画像を読み取る場合には原稿読取ガラス２０１ｂ）の主走査方向Ｙ中央部の温度を抑制することができる。さらに、光源部２１１”は、ガラス２０１の該光源部２１１”側を載置する枠体２０２”より下方にあって、かつ、該枠体２０２”の主走査方向Ｙ内側へ向く先端２０２ｂ”の位置Ｗより主走査方向Ｙ外側に位置するので、該光源部２１１”で発生する熱は、主としてガラス２０１の該光源部２１１”側における枠体２０２”を間にして加熱することになり、従って、該枠体２０２”により該光源部２１１”で発生する熱を放熱でき、これにより、原稿Ｇの主走査方向Ｙ中央部だけでなく、ガラス２０１の該光源部２１１”側において温度が高くなることを抑制でき、ひいては原稿Ｇの該光源部２１１”側端領域の温度が高くなることを抑制できる。従って、操作するユーザーの不快感を緩和することができる。
【０１５３】
特に、原稿移動読取方式で原稿画像を読み取る場合、自動原稿送り装置３００により原稿Ｇを移動させて原稿画像を読み取る際に光源部２１１”が停止状態で原稿Ｇを、原稿読取ガラス２０１ｂを介して照明することで高くなりやすい該原稿読取ガラス２０１ｂの温度を効果的に抑制することができる。
【０１５４】
なお、この光源ユニット２１０は、光源部２１１”と枠体２０２”との位置関係に関わらず、光源部２１１”は、原稿画像が読み取られる最大サイズの原稿の主走査方向Ｙ両端より外側に配置されていてもよい。
【０１５５】
図１７は、他方の光源部２１１”のみが設けられている画像読取装置１００において最大サイズの原稿Ｇｍａｘと光源部２１１”との位置関係を説明するための副走査方向Ｘ一方側から視た概略側面図である。なお、図１７において、図１３に示す構成要素と同じ要素には同一符号を付している。
【０１５６】
この構成では、光源部２１１”が、原稿画像が読み取られる最大サイズの原稿Ｇｍａｘの主走査方向Ｙ他端Ｇｍａｘ”より外側に配置されている。従って、該光源部２１１”で発生する熱は、主としてガラス２０１の最大原稿Ｇｍａｘの主走査方向Ｙ他端Ｇｍａｘ”より外側を加熱することになり、これにより、ガラス２０１の最大原稿領域Ｇａの主走査方向Ｙ他端Ｇｍａｘ”より外側において温度が高くなることを抑制でき、それだけ原稿Ｇの該光源部２１１”側端領域の温度が高くなることを抑制できる。なお、前記した第１距離ｄ１又は第２距離ｄ２、及び第３距離ｄ３やその比率は前述の場合と同様である。
【０１５７】
また、光源部２１１”は、ガラス２０１の主走査方向Ｙ両端より外側に配置されていることが好ましい。
【０１５８】
図１８は、他方の光源部２１１”のみが設けられている画像読取装置１００においてガラス２０１と光源部２１１”との位置関係を説明するための副走査方向Ｘ一方側から視た概略側面図である。なお、図１８において、図１４に示す構成要素と同じ要素には同一符号を付している。
【０１５９】
この構成では、光源部２１１”が、ガラス２０１の主走査方向Ｙ他端２０１”より外側に配置されている。従って、該光源部２１１”で発生する熱は、主としてガラス２０１の主走査方向Ｙ他端２０１”より外側を加熱することになり、これにより、該光源部２１１”で発生する熱によるガラス２０１の温度上昇の影響を可及的になくすことができ、それだけ原稿Ｇの該光源部２１１”側端領域の温度が高くなることを効果的に防止できる。
【図面の簡単な説明】
【０１６０】
【図１】本発明に係る画像読取装置の一実施形態を備えた画像形成装置を概略的に示す側面図である。
【図２】図１に示す画像読取装置の概略縦断面図である。
【図３】図１に示す画像読取装置の概略斜視図である。
【図４】本実施形態に係る光源ユニットの概略構成を示す概略斜視図である。
【図５】光源ユニットにおける光源導光部材ユニットを示す概略斜視図である。
【図６】光源ユニットにおける光源基板を示す概略図であって、図（ａ）は、該光源基板の正面図であり、図（ｂ）は、該光源基板の側面図である。
【図７】光源ユニットの要部を長手方向両外側から視た概略側面図であって、図（ａ）は、一方の外側から視た図であり、図（ｂ）は、他方の外側から視た図である。
【図８】第１及び第２導光部材における光の反射状態を説明するための概略断面図であって、図（ａ）は、発光面が対向する二つの第１光源部からの光を長手方向両端面から導光することで光射出面から原稿に照射する光の反射状態を示す図であり、図（ｂ）は、発光面が対向する二つの第２光源部からの光を長手方向両端面から導光することで光射出面から原稿に照射する光の反射状態を示す図である。
【図９】自動原稿送り装置を取り外した状態の画像読取装置を平面から視た概略平面図である。
【図１０】光源ニットの側面図を含む原稿台ガラス側の断面図であって、原稿台ガラスを載置する枠体と光源部との位置関係を説明するための図である。
【図１１】光源ニットの側面図を含む原稿読取ガラス側の断面図であって、原稿読取ガラスを載置する枠体と光源部との位置関係を説明するための図である。
【図１２】間隙部材又は間隙部によって、枠体とガラスとの間に空間が設けられている状態を示す側面図であって、図（ａ）は、該枠体とガラスとの間に設けられる間隙部材の一例を示す図であり、図（ｂ）は、該枠体とガラスとの間に設けられる間隙部の一例を示す図である。
【図１３】最大サイズの原稿と両光源部との位置関係を説明するための副走査方向一方側から視た概略側面図である。
【図１４】ガラスと両光源部との位置関係を説明するための副走査方向一方側から視た概略側面図である。
【図１５】他方の光源部のみが設けられている画像読取装置において光源ニットの側面図を含む原稿台ガラス側の断面図であって、原稿台ガラスを載置する枠体と光源部との位置関係を説明するための図である。
【図１６】他方の光源部のみが設けられている画像読取装置において光源ニットの側面図を含む原稿読取ガラス側の断面図であって、原稿読取ガラスを載置する枠体と光源部との位置関係を説明するための図である。
【図１７】他方の光源部のみが設けられている画像読取装置において最大サイズの原稿と光源部との位置関係を説明するための副走査方向一方側から視た概略側面図である。
【図１８】他方の光源部のみが設けられている画像読取装置においてガラスと光源部との位置関係を説明するための副走査方向一方側から視た概略側面図である。
【符号の説明】
【０１６１】
２０１ａ（２０１）      原稿台ガラス
２０１ｂ（２０１）      原稿読取ガラス
２０１ａ’，２０１ｂ’  ガラスの主走査方向一端部底面
２０１ａ”，２０１ｂ”  ガラスの主走査方向他端部底面
２０２’                一方の金属性（ここでは金属製）のフレームの一例である枠体
２０２”                他方の金属性（ここでは金属製）のフレームの一例である枠体
２１１’                一方の光源部
２１１”                他方の光源部
３００                  自動原稿送り装置
Ｇ                      原稿
Ｇｍａｘ                最大サイズの原稿
Ｘ                      副走査方向
Ｙ                      主走査方向
Ｗ                      金属性（ここでは金属製）のフレームの一例である枠体の先端の位置
【図１】
2010124118.tif 000003
【図２】
2010124118.tif 000004
【図３】
2010124118.tif 000005
【図４】
2010124118.tif 000006
【図５】
2010124118.tif 000007
【図６】
2010124118.tif 000008
【図７】
2010124118.tif 000009
【図８】
2010124118.tif 000010
【図９】
2010124118.tif 000011
【図１０】
2010124118.tif 000012
【図１１】
2010124118.tif 000013
【図１２】
2010124118.tif 000014
【図１３】
2010124118.tif 000015
【図１４】
2010124118.tif 000016
【図１５】
2010124118.tif 000017
【図１６】
2010124118.tif 000018
【図１７】
2010124118.tif 000019
【図１８】
2010124118.tif 000020
【手続補正書】
【提出日】平成20年11月28日(2008.11.28)
【手続補正１】
【補正対象書類名】図面
【補正対象項目名】図１
【補正方法】変更
【補正の内容】
【図１】
2010124118.tif 000021